(57)【要約】      （修正有）【課題】大型の容器や多量の水を用意しなくとも、芳香・抗菌機能を効果的に高め、かつ持続できる芳香・抗菌材を提供する。【解決手段】本体部１と、開口３と底部４を有する本体部に形成された空洞部２ａ，２ｂとを備え、空洞部２ａ，２ｂ内における液体Ｌと空洞部２ａ，２ｂの内周面との接触により木製の本体部１から液体に溶出する有効成分が液量の減少により濃縮され空洞部２ａ，２ｂに残留する。また本体部１と、開口３と底部４を有する本体部に形成された空洞部２ａ，２ｂと、空洞部２ａ，２ｂ内に収容される木片部の集合物とを備え、空洞部２ａ，２ｂ内における液体Ｌと木片部との接触により木製の本体部１から液体Ｌに溶出する有効成分が液量の減少により濃縮され残留する。【選択図】図３
0003192804.tif 000002
【実用新案登録請求の範囲】
【請求項１】
本体部と、開口と底部を有する本体部に形成された空洞部とを備え、空洞部内における液体と空洞部の内周面との接触により木製の本体部から液体に溶出する有効成分が液量の減少により濃縮され空洞部に残留する芳香・抗菌材。
【請求項２】
本体部と、開口と底部を有する本体部に形成された空洞部と、空洞部内に収容される木片部の集合物とを備え、空洞部内における液体と木片部との接触により木製の本体部から液体に溶出する有効成分が液量の減少により濃縮され残留する芳香・抗菌材。
【請求項３】
空洞部の底部側に空洞部と連通する液体の貯留部を設け、有効成分の濃縮された空洞部内の液体が貯留部に残留する請求項１又は２記載の芳香・抗菌材。
【請求項４】
液体は開口から空洞部に補給される請求項１又は２記載の芳香・抗菌材。
【請求項５】
木片部は開口から空洞部に取り換え可能に出し入れされる請求項１又は２記載の芳香・抗菌材。
【請求項６】
前記液体は常温水である請求項１又は２に記載の芳香・抗菌材。
【請求項７】
前記液体は加温水である請求項１又は２に記載の芳香・抗菌材。
【請求項８】
前記液体はアルコール類またはアルコールを含む酒類である請求項１又は２に記載の芳香・抗菌材。
【請求項９】
木片部の集合体は、貯留部に残留する液体と非接触で空洞部内に収容される請求項３に記載の芳香・抗菌材
【考案の詳細な説明】
【技術分野】
【０００１】本考案は芳香・抗菌材、特に木製の芳香・抗菌材に関する。
【背景技術】
【０００２】檜等の木材はフィトンチッド、ヒノキチオール等の芳香・抗菌の有効成分を含み、このような木材の芳香・抗菌機能を利用した芳香・抗菌材が開発されている。例えば、本体部の頂部と底部の間に貫通部を形成し、底部から貫通部に浸透する容器内の水が貫通部内の木片の集合体に浸透し、水の集合体への浸透とその蒸発により芳香・抗菌機能を高めた構造の芳香・抗菌材がある（特開２０１３−１４８６９）。この場合、芳香・抗菌機能をより効果的に発揮するには容器に多量の水の充填し、浸透と発散を促進する必要がある。しかしこれには容器の大型化を招き、また容器へ多量の水の補給が必要になるなど、取り扱いの簡便性の点で必ずしも十分といえない。
【先行技術文献】
【特許文献】
【０００３】
【特許文献１】特許公開公報  特開２０１３−１４８６９
【考案の概要】
【考案が解決しようとする課題】
【０００４】本考案は、このような問題点を克服するものであり、本考案の解決しようとする課題は、大型の容器や多量の水を用意しなくとも、芳香・抗菌機能を効果的に高め、かつ持続できる芳香・抗菌材の提供することにある。
【課題を解決するための手段】
【０００５】上記課題を解決するため、本考案に係る芳香・抗菌材は、本体部と、開口と底部を有する本体部に形成された空洞部とを備え、空洞部内における液体と空洞部の内周面との接触により木製の本体部から液体に溶出する有効成分が液量の減少により濃縮され空洞部に残留する。【０００６】また本体部と、開口と底部を有する本体部に形成された空洞部と、空洞部内に収容される木片部の集合物とを備え、空洞部内における液体と木片部との接触により木製の本体部から液体に溶出する有効成分が液量の減少により濃縮され残留する。【０００７】また上記の芳香・抗菌材において、空洞部の底部側に空洞部と連通する液体の貯留部を設け、有効成分の濃縮された空洞部内の液体が貯留部に残留する。【０００８】そして液体は開口から空洞部に補給され、また木片部は開口から空洞部に取り換え可能に出し入れされる。【０００９】また液体は水又は加温水であり、またアルコール類またはアルコールを含む酒類である。【００１０】そして前記木片部の集合物は開口から空洞部に出し入れ可能に収納され、木片部の集合体は、貯留部の液体と非接触で空洞部内に収容される。
【考案の作用・効果】
【００１１】本体部に形成された空洞部内において、空洞部内の液体と空洞部の内周面との接触により、液体は空洞部の内周面から本体部の開口又は表面側へ浸透する。液体の水位が開口の位置と同じ（つまり液体の充填）場合だけでなく、それ以下の場合でも、液体の水位は比較的に開口に近く、本体部の開口側又は表面側へ液体が浸透しやすい。本体部に浸透した液体は開口側又は表面側から外気に放散される。すなわち液体の浸透と放散の原理による芳香等の効果的な発現が可能となる。また液体と空洞部の内周面との接触面積が比較的大きいから、有効成分が本体部から液体に効率よく溶出する。
【００１２】本体部に形成された空洞部内において、空洞部内の液体と木片部（木片部の集合物）との接触により、液体は木片部の表面から木片部に浸透する。前記と同様に、液体の水位が開口の位置と同じ（つまり液体の充填）場合だけでなくそれ以下でも、液体の水位は比較的に開口に近く、木片部に液体が浸透しやすい。そして木片部に浸透した液体は外気に接触する部分から外気に放散される。また液体と木片部との接触面積が比較的大きいから、有効成分が木片部から液体に効率よく溶出する。
【００１３】液体の放散にともない空洞部内の液体の液量は減少し、本体部及び／又は木片部から液体に溶出した有効成分は濃縮され、空洞部に残留する。液量の減少を生じたとき、開口から液体が補給される。また木片部（木片部の集合体）についても、開口から空洞部に取り換え可能に出し入れされる。残留する液体の濃縮度は漸次大きくなり濃縮化が進む。濃縮液体に液体を補給したとき、有効成分が液体へ全体的に拡散し、有効成分の利用が効率的である。
【００１４】液体には常温水のほか加温水が使用される。またアルコール類又はアルコールを含む酒類が使用される。液体として常温水のみならず加温水、アルコール類又はアルコールを含む酒類の使用によって有効成分が効率よく溶出される。
【００１５】そして空洞部の底部側には空洞部と連通する液体の貯留部を設け、有効成分の濃縮された空洞部内の液体が貯留部に残留する。また木片部の集合体は、貯留部に残留する液体と非接触で空洞部内に収容される。すなわち、木片部の集合体は残留する液体と非接触であり、液体は木片部に浸透しないから、濃縮液体の枯渇を遅延させることができる。濃縮された液体に液体を補給したとき、有効成分が液体へ全体的に拡散し、有効成分の利用が効率的となることは、前記のとおりである。
【図面の簡単な説明】
【００１６】
【図１】本考案に係る芳香材、抗菌材（以下「芳香材等」という）の斜視図である。
【図２】同芳香材等の平面図である。
【図３】同芳香材等の正面図である。
【図４】同芳香材等における木片部を有する袋状部が空洞部に収容された状態を概念的に示す平面図である。
【図５】同芳香材等における木片部を有する袋状部が空洞部に収容された状態を概念的に示す正面図である。
【図６】同芳香材等における空洞部に木片部が収容された状態を概念的に示す正面図である。
【図７】貯留部を設けた同芳香材等の平面図である。
【図８】貯留部を設けた同芳香材等の正面図である。
【図９】貯留部を設けた同芳香材等に木片部を有する袋状部が収容された状態を概念的に示す平面図である。
【図１０】貯留部を設けた同芳香材等に木片部を有する袋状部が収容された状態を概念的に示す正面図である。
【図１１】貯留部を設けた同芳香材等に木片部を有する袋状部が収容された状態を概念的に示す一部拡大図である。
【図１２】袋状部に収容される木片部を概念的に示す正面図である。
【図１３】木片部が収容された袋状部を概念的に示す正面図である。
【図１４】貯留部を設けた同芳香材等に木片部が収容された状態を概念的に示す正面図である。
【図１５】貯留部を設けた同芳香材等に木片部が収容された状態を概念的に示す一部拡大図である。
【考案を実施するための形態】
【００１７】本考案を実施するための形態について図面を参照して説明する。本体部１は木製であり、檜材が最適であるが他の木材でもよい。本体部１はフィトンチッド、ヒノキチオール等の芳香・抗菌等に有効な成分（以下「有効成分」という）を含み、芳香・抗菌（以下「芳香等」という）の作用がある。本体部１には空洞部２が形成され、空洞部２は本体部の上面９側に開口３と内周側に底部４を有する。空洞部２には開口３から水等の液体Ｌが注入され、空洞部２に収容される。液体４の注入方法としては、薬缶やポット等（図示せず）内の液体を開口３から注ぎ、また水道の蛇口から水道水を直接に注ぐ等があるが、その方法は任意である。なお液体の減量後の空洞部２に液体を補給する方法も同様である。
【００１８】空洞部２内の液体Ｌの水位が開口３の位置と同じである（つまり液体の充填）のが好ましいが、それ以下でもよく、その液量は任意である。空洞部２内の液体Ｌは、空洞部の内周面５と接触して本体部１に浸透し、さらに内周面５に沿い本体部の上面６側へ浸透する。このように浸透した液体は外気に接する内周面５及び本体部の上面６から外気に放散される。これは、水の浸透と放散の原理を利用して木材の芳香等の効果を効率的に発揮させるものである。この場合、液体Ｌが空洞部２に充填された場合はもとより、それ以下の場合でも、その水位ｍは比較的開口３に近く、空洞部２内の液体Ｌが本体部の開口３又は上面６側へと浸透しやすい。
【００１９】空洞部２内の液体Ｌは空洞部の内周面５と接触し、内周面５から本体部１に浸透する一方で、木製の本体部１から有効成分が液体Ｌに溶出する。前記のように、空洞部２が液体Ｌで充填されている場合、液体Ｌは空洞部の内周面５とほぼ全面的に接触し、液体との接触がきわめて効率的である。空洞部２が液体Ｌで充填されていない場合でも、その液量が比較的少量であるにもかかわらず、液体Ｌと内周面５との接触が相当に効率的である。従っていずれの場合においても有効成分の液体への溶出は効率的となる。
【００２０】図４、５に示される芳香・抗菌材において、本体部の空洞部２内には液体Ｌと木片部の集合物８が収容される。本体部の空洞部２内で、空洞部内の液体Ｌが木片部の集合物８を構成している木片部７と接触し、液体が木片部の表面から木片部７に浸透する。前記のように、空洞部２内での液体Ｌの水位が開口の位置と同じはなく、それ以下の場合でも、液体の水位ｍは比較的に開口３に近く、液体Ｌと木片部７と接触面積が比較的大きいから、液体Ｌが木片部７に浸透しやすい。木片部７に浸透した液体は外気に接触する部分から外気へと放散される。
【００２１】空洞部２内の液体Ｌが空洞部の木片部７と接触すると、液体Ｌが木片部７に浸透する一方で、有効成分が木片部７から液体Ｌに溶出する。そして、この場合も同様に、液体Ｌと木片部との接触面積が比較的大きく、有効成分が木片部７から液体Ｌに効率よく溶出する。なお空洞部２内の木片部７の量は多いのが好ましいが、液体が木片部７と接触すればよく、その量は任意である。
【００２２】木片部７は木材（檜等）の切り屑、おが屑、おが粉、チップ、切粉、細小片、粉状物等である（図１２参照）。また木片部７はこれを一体的に纏め、集合物として使用するのが効果的である。図１３は、液体が浸透可能な織布・不織布で形成された袋状部１０内にこのような木片部７を纏めて集合物としたものである。木片部７は一定の形状に加工したものでもよい。図１４は、ほぼ円柱状に加工した木片部７（複数個）が空洞部２内に集合状態で収納されたものであり、袋状部は使用していない。木片部７又は木片部の集合物８は開口３から空洞部１に対し出し入れ可能である。従って、木片部７又はその集合物８は、例えば、一定の時間の経過後、新たな木片部７又はその集合物８と取り換えが可能である。
【００２３】液体Ｌの放散にともない空洞部２内の液体Ｌの液量は減少するが、減量した液体Ｌでは本体部１及び／又は木片部７から溶出した有効成分が濃縮され、空洞部２に残留する。空洞部２内の液体６Ｌが減量すると、開口３から適時に液体Ｌが補給される。すなわち既に有効成分が溶出している液体Ｌに対し有効成分がひき続き溶出し、有効成分の蓄積により液体Ｌにおけるその濃度が漸次大きくなる。なお木片部７（又は木片部の集合体８）についても、開口３から空洞部２に取り換え可能に出し入れされる。木片部７（又はその集合物８）の取り換えにより、新しい木片部７から有効成分が液体Ｌに溶出し、濃度はさらに高くなる。量の減少した状態で新たに液体を補給した場合、濃縮された有効成分が液体の全体に拡散し、有効成分の率的な利用が可能となる。
【００２４】液体Ｌには、通常、常温の水を使用する。有効成分の液体Ｌへの溶出については、例えば、水等の液体が無色からやや黄色味を帯びたものに変化すること等、目視によっても確認できる。また液体Ｌに加温水を使用してもよい。加温水はその温度が常温水以上であるが、温度が高いほど有効成分の溶出が促進され、有効である。これは、加温水を使用する檜の風呂（バスタブ）における優れた芳香・抗菌作用の知見に基づくものである。檜の精油の抽出法として、高温の水蒸気を用いて檜の木片から有効成分を抽出する方法が知られているが、加温水を使用した有効成分の溶出は、小型の収容部といえる空洞部２内の加温水を使用し、有効成分の溶出を簡易・継続的かつ穏やかに行うものである。なお本体部１は木製であり、高温水（例えば、摂氏１００度）を使用しても本体部１の表面は高温にならず、安全である。また加温水の使用量も比較的に少なく、経済的である。
【００２５】また液体はアルコール類又はアルコールを含む酒類でもよい。酒類としては日本酒、焼酎の他、ワイン、ウイスキー等の洋酒等がある。また水と酒類の混合物でもよい。例えば、日本酒、ワインの酒類（水との混合物を含む）を使用した場合、有効成分が液体中に効率よく溶出する一方で、本体部１、木片部７に酒類が浸透し、木材の芳香と日本酒、ワインの香りを楽しむことができる。これは、日本酒の樽酒、升酒にみられる芳香の知見に基づくものである。なお使用する酒類等の液体は、前記のように、比較的に少量で済む。
【００２６】木片部７は木材の節部により形成することができる。節部は木の枝のつけ根の部分であり、比較的に油性分を多く含む。油性分を含む節部からなる木片部７の使用によって有効成分がより多く溶出される。液体は常温水でもよいが、加温水やアルコールを含む酒類を使用すると更に効果的である。なお木片部の集合体８の一部が節部から形成されたものでもよい。
【００２７】空洞部２内の液体Ｌの減量が進むと有効成分が濃縮され、濃縮された液体Ｌが空洞部の底部４側に残留する。図７、８等では空洞部の底部４側に液体の貯留部１１が設けてあり、濃縮された液体Ｌが貯留部１１に残留する。すなわち、貯留部１１は空洞部の底部４に凹陥して形成され、凹陥する空洞部４に濃縮された液体が残留する。空洞部２内に残留する液体が全て無くなるのは好ましくない。前記のように、液体が少量でも残留する場合、液体の補給により残留する液体の有効利用が可能だからである。開口３から離れた底部４側の貯留部１１に残留する液体Ｌの存在は、空洞部２内の液体Ｌの完全な枯渇化を遅延させる。空洞部２内に木片部の集合体８が収容されている場合（図１１、１５参照）、上方に木片部の集合物８が配置され、木片部の集合物８で上方を覆われた貯留部１１では貯留部１１内に残留する液体Ｌの減量が比較的に少なく、空洞部２内の液体Ｌの完全な枯渇化を遅延させる。
【００２８】また木片７又はその集合物８は貯留部１１に残留する液体Ｌと非接触で空洞部２内に収容される。例えば、図１１、１５のように、凹陥する貯留部１１では、空洞部２と貯留部１１との連通口９の大きさは木片７又はその集合物８より小さく、木片７又はその集合物８は貯留部内１１に進入しない。残留する液体Ｌと非接触の木片部７に液体は浸透しないから、残留する濃縮液体の枯渇化を遅延させる。
なお本体部１の形状（直方体だけでなく円球状、不定形等）、大きさに限定はなく、空洞部２の形状、大きさ、数に制約はない。また凹陥する空洞部２についてもその形状、大きさ、数は任意である。また貯留部１１についてもその形状、大きさ、数に限定はない。なお図示の場合、大径の空洞部２ａに貯留部１１が設けられているが、その周辺の小径の空洞部２ｂには貯留部はない。
【００２９】空洞部２は、大径の空洞部２ａと複数の小径の空洞部２ｂを適宜に配設し、常温水を有する空洞部２に開口３より挿入された花卉（図示せず）を配置し、花立てとして利用することもできる。空洞部２には有効成分（抗菌の成分）の濃縮された水が残留し、抗菌の機能が強化され、空洞部に活けられた植物が枯れにくく、長持ちする。
【符号の説明】
【００３０】１    本体部
２    空洞部
３    開口
４    空洞部の底部
５    空洞部の内周面
６    本体部の上面
７    木片部
８    木片部の集合物
９    連通口
１０  袋状部
１１  貯留部
Ｌ    液体
ｍ    水位
【図１】
0003192804.tif 000003
【図２】
0003192804.tif 000004
【図３】
0003192804.tif 000005
【図４】
0003192804.tif 000006
【図５】
0003192804.tif 000007
【図６】
0003192804.tif 000008
【図７】
0003192804.tif 000009
【図８】
0003192804.tif 000010
【図９】
0003192804.tif 000011
【図１０】
0003192804.tif 000012
【図１１】
0003192804.tif 000013
【図１２】
0003192804.tif 000014
【図１３】
0003192804.tif 000015
【図１４】
0003192804.tif 000016
【図１５】
0003192804.tif 000017